(57)【特許請求の範囲】
【請求項１】
外部の装備品に接続するための接続用の導電性部品と被覆とを含む電気接続用エレメントを少なくとも一つ備えてなるペイン（pane）であって、接続用導電性部品の被覆が当該ペイン上に直接成形されていることを特徴とするペイン。
【請求項２】
前記被覆の構成材料が、シリコーン、一液型ポリウレタンもしくは二液型ポリウレタン、又は熱可塑性ポリマーのうちから選ばれていることを特徴とする、請求項１記載のペイン。
【請求項３】
前記接続用導電性部品が接続用スリーブと端子であることを特徴とする、請求項１記載のペイン。
【請求項４】
前記端子が雄型のプラグ端子である、請求項３記載のペイン。
【請求項５】
前記電気接続用エレメントが加熱用アレーを電気供給源に電気的に接続することを特徴とする、請求項１〜４のうちのいずれか一つに記載のペイン。
【請求項６】
ペインをその外部の装備品に電気的に接続するための接続用エレメントであって導電性部品と被覆から構成されている接続用エレメントを備えてなるペインを製造する方法であって、当該被覆の構成材料を成形型のキャビティ内に注入し、その内部にはペインの被覆すべき部分が位置していて、且つまた当該接続用エレメントの導電性部品も、接続される位置に配置されていて、上記の材料が注入される当該成形型のキャビティが当該被覆の所望の形状に対応していることを特徴とする方法。
【請求項７】
前記装備品が電気供給源である、請求項６記載の方法。
【請求項８】
前記成形型で前記被覆を成形後に、当該成形型を当該ペインに残すことを特徴とする、請求項６又は７記載の方法。
【請求項９】
他の機能性エレメントを、前記導電性部品のための被覆の成形と合わせて、成形（mould）及び／又はモールドオン（mould-on）することを特徴とする、請求項６〜８のうちのいずれか一つに記載の方法。
【発明の詳細な説明】
【０００１】
【産業上の利用分野】
本発明は、ペイン（pane）の外部の装備品、例えば電源、ピックアップ、ラジオ等にそれを接続するための接続エレメントを備えたペインに関する。本発明はまた、この接続エレメントを製造する方法とこの方法を実施するための装置にも関する。
【０００２】
【従来の技術及び発明が解決しようとする課題】
電気的な接続を必要とする何種類かのペインが存在する。例えば、それらは、加熱ペイン、電気的に制御される光学特性を有するペイン、あるいは給電を必要とする機能、例えばピックアップ、ラジオアンテナ等の如きもの、を備えたペインであることができる。
【０００３】
どんな種類のペインでも、電気の供給は一般に、この給電を必要とするエレメントと電源の両方に電気的に接続される集合ストリップ（collecting strip）によってなされる。
この電気集合ストリップの電源への接続は、一般的に言えば導電性部品と被覆を含む、接続エレメントとして知られるエレメントにより保証される。
【０００４】
導電性部品は接続そのものを保証する。二つの溶接された金属ラグもしくは二つの端子があってもよく、あるいはまたスリーブもしくは他のいずれかの接続手段があってもよい。これらの導電性部品を外部の環境から、とりわけ衝撃と湿分から保護するために、通常は被覆物がこれらの導電性構成部品を覆う。
被覆は、例えば、導電性部品の周りに巻かれるか押し出しされた絶縁ストリップから構成することができる。それは熱収縮ストリップでもよい。しかしながら、接続エレメントの堅牢性と耐漏洩性は、課された要件に必ずしも応じるとは限らない。その一方、押し出しされた被覆はしばしば、目に見える突出部を有する。
【０００５】
被覆は、導電性部品をその中に挿入するのを可能にするくぼみを含む構成部品から構成することもできる。この構成部品はペインに接着される。接着剤は、接続エレメントのシールを保証し、そしてまた集成体全体の安定性にも寄与する。この解決策は、満足なものではあるが、しかしながら特に接着剤の流動のために、ペインの縁に比較的大きなバルクができることになる。更に、この流動の量を予測することが必ずしも可能であるとは限らず、従ってペインの上の接続エレメントの大きさを加減するのが必ずしも可能であるとは限らない。
【０００６】
本発明は、全体の大きさが明確にされ、それが実際に小さい接続エレメントを備えつけたペインを製造するのを目的とする。本発明はまた、信頼性、安定性そして耐漏洩性が全て向上した接続エレメントを提案する。
【０００７】
【課題を解決するための手段及び作用効果】
本発明は、導電性部品と被覆を含み、この被覆がペイン（pane）に直接成形されている電気接続エレメントを少なくとも一つ備えたペインに関する。
所望ならば、被覆がその上に成形されるペインの部分は、前処理、例えば清浄及び／又はプライマーでの被覆、１又は２以上のフィルム又は被覆の付着等といったような処理を受けていてもよい。
【０００８】
このように、この被覆は、どのような補助的固定用手段もなしに接続エレメントをペインに固定するのを可能にし、同時に良好な耐漏洩性と限られた全体の大きさを保証する。更に、この全体の大きさは予測することができ、また信頼性のあるやり方で再生産可能である。
この全体の大きさは、有利には、接続エレメントがペインに固定されている場合においておよそ４０mm2 ほどの小さい値に達する。
【０００９】
接続エレメントの固定は、接続された位置にあるときには導電性部品により、また被覆によっても、保証される。
好ましくは、導電性部品はペインに接して配置される。こうして、それらは垂直平面の荷重にそれほどさらされない。更に、この配置は、ペインの端面を越える接続エレメントの寸法を減少させる。この場合、導電性部品は、端子、例えば雄型の端子がその中に挿入される少なくとも一つの接続スリーブから構成される。また、電気ケーブルは、車体、建物等の開口部におけるペインの形状に応じて、ペインに接しても、それに対して直角でもよく、あるいはそのほかのどのような位置にあってもよい。
【００１０】
本発明によれば、被覆の構成材料は、ペインの被覆されるべき部分と、そしてまた電気伝導性部品とが、接続した配置でその中にある型の中に注入され、この材料が注入される型のキャビティは被覆の所望される形状に対応している。
【００１１】
本発明による方法は、特に次に掲げる工程を含む。
・導電性部品を備えたペインに成形型を適用する工程。
・被覆のための構成材料を注入する工程。
・型を取り外す（demoulding）工程。
【００１２】
もちろん、ペインを型の中に配置すること及び／又はペインが型の中にあるときに導電性部品を配置することも可能である。
【００１３】
注入される材料は、熱硬化性ポリマー又は熱可塑性ポリマーでも、処理中に反応する二液型ポリマーでもよい。ＲＩＭ（反応射出成形）技術で使用するのに適した材料を使用することもできる。有利には、使用される材料はシリコーン、一液型ポリウレタンもしくは二液型ポリウレタンタイプのもの、あるいは高温になると流体であって低温になると固体になる材料である。
【００１４】
使用する材料の種類に応じて、射出ノズル及び／又は成形型は、それぞれ加熱及び／又は冷却してもよい。
【００１５】
一つの有利な変形によれば、型を構成している材料はペイン上に残される。これは、型を取り外すのに関連する全ての時間をなくすことにより、工程を実施するのに要する時間を実質的に短縮させる。型を構成する材料は、被覆を形成するために使用されるものと同じでもよい。それはまた、必要とされる性質を有する異なる材料であることもできる。
【００１６】
本発明の一つの有利な変形によれば、他の機能性エレメント又はシールを、導電性部品の被覆と合わせて、成形（モールド）してもあるいはモールドオン（mould-on）してもよい。
この場合、型のキャビティはモールド又はモールドオンすることができる機能性エレメントのおのおのに対応して異なる形状を有する。これらのエレメントは、案内用エレメント、位置決め用エレメント、あるいは他の任意のタイプのエレメントでよい。異なる性質の材料を使用することも可能である。所望ならば、いくつかの射出ノズルが設けられる。
【００１７】
被覆を形成するために、また適用可能な場合には他の機能性エレメントのために所望される形状は、ストップにより及び／又は型の壁により境界を定められる。型は好ましくは二つの構成要素から構成される。
【００１８】
有利には、型の各構成要素の壁に、それぞれ少なくとも一つの射出オリフィスと少なくとも一つのガス抜きオリフィスを形成する。こうして、わずかに過剰の材料が１又は２以上のガス抜きオリフィスを通って流れ出すことができる。このようにして、完全な耐漏洩性を確保するため、その形状が被覆のために所望される形状に対応している成形型のキャビティ全体を材料で完全に満たすことが保証される。
【００１９】
【実施例】
本発明のこのほかの特徴と利点は、添付の図面を参照して示される、ペインの態様の例を説明する以下の記載から明らかになろう。
【００２０】
本発明によるペインは、本発明による二つの接続エレメント１、２を備えてなる。この例は、熱可塑性の中間層に取り付けられた細い電気抵抗加熱ワイヤ６の二つの網状構造体（ネットワーク）又はアレー４、５を含んでなる、積層ペイン３に関連している。各加熱ワイヤ６は、二つの集合ストリップ（collecting strip）７、８、９、10にそれぞれ電気的に接続され、アレー４はストリップ７と８を含み、そしてアレー５はストリップ９と10を含んでいる。これらの集合ストリップは、例えば、低融点のスズ系合金で被覆された、厚さ０．０５mm、幅５mmの銅箔のストリップで構成されている。もちろん、それらは、加熱ペインの電力に応じて、別の幅と、そして適用できる場合には別の厚さを、同様に都合よく有することができる。本発明による接続は、この事例においては、ストリップ８と10を電源に接続するために使用される。
【００２１】
エレメント１は、この例では成形前のものが示されており、エレメント２は成形後のものが示されている。
【００２２】
図２はエレメント１を一層詳しく示している。
ここでは、積層されたシート３が示されている。それは２枚のガラス板11及び12を含み、それらの間に熱可塑性の中間層13が挟まれている。
【００２３】
この例では、細い電気抵抗加熱ワイヤ６から構成された加熱アレーが、熱可塑性中間層13に、もっと具体的に言えばガラス板11と中間層13との間に位置する中間層13の面に、取り付けられている。それは、ガラス板12と中間層13の間に取り付けてもよい。この例では、それは二つの集合ストリップ８と８’の間に配置されている。
【００２４】
この例においては、導電性部品は接続用スリーブ14から構成され、これにラグ15が続いて集合ストリップ８と接触している。このラグは、所望ならば、積層ペインを集成する際にそのラグを固定するための孔16を含むことができる。雄型の端子又はプラグ17は、18で模式的に示す供給源に集合ストリップ８を電気的に接続するために、スリーブ14に差し込まれたところが示されている。
【００２５】
もちろんながら、このほかのタイプの導電性部品を、やはり本発明に従って考えてもよい。例えば、接続用スリーブは、図３に示したように雌型の端子19に巻きつけて、その中へ雄型端子17を差し込んでもよい。
【００２６】
図４は、その最終的な位置における接続用エレメントを、すなわちその被覆を備えたものを、示している。被覆21を構成している材料は、接続用エレメントの導電性部品、詳しく言うとこの図に示したようにスリーブ14に、完全にぴったりと合う。この例では、この被覆は半円筒形の形状を有するが、もちろんながらそれはこのほかの任意の形状のものでよい。ペインに付けた本発明の接続用エレメントの全体の大きさは最小限のものである。それは、ペインの各面でおおよそ５０mm2 ほどの小さいものでよい。
【００２７】
ペインの片面を覆うことにより被覆された長さに対応する長さＡは、例えば、５mm程度でよい。それは二つの面で異なるものでもよい。本発明によれば、それは５mmと３０mmの間にある。
【００２８】
図５は、本発明を実施するための成形型の例を示している。
この型は、二つの部分22と23から構成される。以下の説明では、部分23のみを説明することにするが、部分22はこれと実質的に対称である。各成形型部分は、二つの部分、すなわち上部キャビティ24と下部キャビティ25に更に分割される。下部キャビティは、ペインがその上に載る二つのストップ27と28を作る余分な厚み26があるために、上部キャビティよりももっと深さがある。この余分な厚みは、それについて成形を実施すべきペインの半分の厚さに相当する深さＢを有する。成形型の壁の厚さＣは、ペインに取り付けられる被覆の厚さに対応する。ペインの縁における被覆の全体的な大きさは、上部キャビティ24の長さＡに成形型の幅Ｄを乗じたものにより定められる。これらの寸法が小さくなればなるほど、被覆の全体の大きさが小さくなることは明らかである。とは言うものの、被覆は接続用エレメントをペインに固定することに寄与するので、一定の接触面積が必要である。本発明によれば、最適な寸法は、深さＣが２mm程度、長さＡが５〜１５mm、そして幅Ｄが１０〜２５mmであることが分かる。
【００２９】
これらの寸法は、例を挙げれば、２×１０×２０mm程度である。
【００３０】
本発明による方法は、例えば、次に述べる工程を含む。
型の構成部分22を、例えば図に示すように、ペイン３に当てる。導電性構成部品の部材14と17は接続された位置にある。
このほかのタイプの接続を利用することも可能である。
【００３１】
次に、型の構成部分23をペインに当てる。このようにして、型は、一方で下部キャビティに関しては型の壁面により、そして他方で上部キャビティについてはペインの厚さにより、閉じられる。材料は、射出孔29を通して、ことによっては加圧下に、及び／又は加熱しながら、注入され、そして型のキャビティの全体を満たす。わずかな過剰分は、型の構成部分22に形成されたガス抜き孔30を通して逃がされる。次いで注入を停止する。型は、使用する材料の種類に応じて加熱及び／又は冷却することができる。ポリマーが十分に重合したなら、型の取り外しを行うことができる。有利には、型はペイン上に残される。このようにして、射出の終了よりも後の、そして型を取り外すのに関連した全ての工程が回避される。
【００３２】
もちろんながら、本発明によるペインは一体式のものでも、あるいは積層されたものでよいことが理解されよう。
被覆は、いずれの形状のものでもよい。それはペインの片面のみと接触してもよい。接続用エレメントの寸法と位置は、意図された用途と供給ケーブルの寸法及び位置の関数である。
【００３３】
本発明による方法は、接続用エレメントの寸法に関してある程度まではずっと大きな融通性を与える。詳しく言えば、それは、いずれの場合にも必要とされる安定性、耐漏洩性及び絶縁性の要件に依然として応じながら、これらを小さくするのを可能にする。すっかり小さくするのに適合していて、それでいて頑丈で漏れのないこの成形法は、ペインの縁に直ぐ近接した領域が、特に当該ペインのための固定手段によりふさがれていて、そこに公知の接続手段を取り付けることが許されない場合に、電気的な接続（加熱回路の接続、アンテナの接続、ピックアップの接続）を必要とするペインに殊によく適合する。
【図面の簡単な説明】
【図１】本発明による加熱ペインの斜視部分図である。
【図２】接続エレメントの導電性部品を詳細に示す斜視図である。
【図３】他のタイプの導電性部品を説明する斜視図である。
【図４】被覆を備えた、ペイン上の接続エレメントを示す斜視図である。
【図５】本発明の枠内で使用される成形型の斜視図である。
【符号の説明】
１、２…接続エレメント
３…ペイン
６…電気抵抗加熱ワイヤ
７、８、９、１０…集合ストリップ
１１、１２…ガラス板
１３…中間層
１４…接続用スリーブ
１５…ラグ
１７…雄型端子
１８…電気供給源
２２、２３…成形型の構成部分
２４…上部キャビティ
２５…下部キャビティ
【図１】
0003545450.tif 000002
【図２】
0003545450.tif 000003
【図３】
0003545450.tif 000004
【図４】
0003545450.tif 000005
【図５】
0003545450.tif 000006